(57)【要約】【課題】  レジオネラ菌など雑菌の繁殖を防止できる殺菌機能を有した浴室ミスト装置及び当該装置を組み込んだミスト機能付浴室暖房換気装置を提供することにある。【解決手段】  湯水をミスト状に噴射するようにしたミスト水噴射ノズル１３４と、ミスト水噴射ノズル１３４に湯水を供給するためのミスト水供給配管１３５と、ミスト水噴射ノズル１３４に供給する水を加熱するためのミスト水熱交換器１３６から構成された浴室ミスト装置において、ミスト水熱交換器１３６とミスト水噴射ノズル１３４の間に滞留してる滞留水を加熱するための殺菌用加熱ヒータ１３８と温度センサ１３９を設け、定期的に滞留水を加熱するようにしている。【選択図】      図１
2006218159.tif 000002
【特許請求の範囲】
【請求項１】
湯水をミスト状に噴出させるミスト噴射部と、
ミスト噴射部に水を供給するミスト水供給配管と、
ミスト水供給配管を流れる水を温めるミスト水加熱手段とを有する浴室ミスト装置において、
前記ミスト水供給配管における前記ミスト水加熱手段よりもミスト噴射部側に殺菌用加熱手段を設けたことを特徴とする浴室ミスト装置。
【請求項２】
前記ミスト水供給配管を流れる水の温度を測定する測温手段を設けたことを特徴とする、請求項１に記載の浴室ミスト装置
【請求項３】
前記殺菌用加熱手段で加熱した前記ミスト水供給配管内の水の温度は、前記測温手段で測定した温度が７０℃から８０℃になるようにしたことを特徴とする、請求項２に記載の浴室ミスト装置。
【請求項４】
前記殺菌用加熱手段による前記ミスト水供給配管内の水の加熱を少なくとも１日に１回行うようにしたことを特徴とする、請求項１〜３に記載の浴室ミスト装置。
【請求項５】
室内の空気を循環させるための第１の送風通路、第１の送風通路内の空気を温水と熱交換させて加熱する暖房用熱交換器、及び第１の送風通路内の加熱空気を室内に吹き出させるための温風用送風機を有する室内端末と、前記暖房用熱交換器に流れる温水を加熱するための熱源機と、前記熱源機から前記暖房用熱交換器に温水を供給するための暖房用温水供給配管とを有する浴室暖房換気装置において、
請求項１〜４に記載の浴室ミスト装置を備えたことを特徴とする、ミスト機能付浴室暖房換気装置。
【請求項６】
前記暖房用温水供給配管及び前記ミスト用加熱手段と接続して、前記暖房用温水供給配管内を流れる温水を前記ミスト用加熱手段に供給するためのミスト水加熱用供給配管を設けたことを特徴とする、請求項５に記載のミスト機能付き浴室暖房換気装置。
【発明の詳細な説明】
【技術分野】
【０００１】
本発明は、浴室ミスト装置及びミスト機能付浴室暖房換気装置に関し、特に配管内に滞留した水を殺菌するための殺菌機能を有する浴室ミスト装置及びミスト機能付浴室暖房換気装置に関する。
【背景技術】
【０００２】
従来の浴室ミスト装置は、浴室などに設置され、加熱された湯水をミスト噴射手段からミスト状に浴室内へ噴射することにより、サウナ効果を得るものである。このような浴室ミスト装置としては、特開２００３−３３４２３０号公報が提案されている。この浴室ミスト装置は、浴室暖房換気装置に組み込まれており、浴室の空気を暖めるための熱交換器に供給される熱媒（お湯）の一部を分岐し、ミスト噴射用の水を温めるための熱媒として用いている。
【０００３】
しかしながら、ミストを噴射していない時には、配管内に湯水が滞留しており、特に加熱手段（バーナー、熱交換器など）からミスト噴射部までの間の配管に滞留した湯水は、ミストを噴射開始したときに加熱されずに浴室内に噴射されてしまう。特に長期間ミスト噴射部からミスト状の湯水が噴射されない場合には、この滞留水にレジオネラ菌や雑菌などが発生する可能性があった。したがって、従来は浴室ミスト装置に滞留水を排水するための排水用配管を設けていた。そのため、配管の取り回しが複雑になり、排水用配管の工事も必要であるのでコストも高くなってしまっていた。
【０００４】
【特許文献１】特開２００３−３３４２３０号公報
【発明の開示】
【発明が解決しようとする課題】
【０００５】
本発明は上記のような技術的課題に鑑みてなされたものであり、その目的とするところは、レジオネラ菌など雑菌の繁殖を防止できる殺菌機能を有した浴室ミスト装置及び当該装置を組み込んだミスト機能付浴室暖房換気装置を提供することにある。
【課題を解決するための手段】
【０００６】
請求項１に記載の浴室ミスト装置は、湯水をミスト状に噴出させるミスト噴射部と、ミスト噴射部に水を供給するミスト水供給配管と、ミスト水供給配管を流れる水を温めるミスト水加熱手段とを有する浴室ミスト装置において、前記ミスト水供給配管における前記ミスト水加熱手段よりもミスト噴射部側に殺菌用加熱手段を設けたことを特徴としている。
【０００７】
請求項１に記載した浴室ミスト装置にあっては、殺菌用加熱手段を設けているのでミスト供給配管内に滞留した水を加熱殺菌することができ、ミスト供給配管内に滞留した水を排水するための排水配管を設ける必要が無く、配管回路を簡略化でき、排水配管を施工するための工事も必要なくなり省コスト化できる。
【０００８】
請求項２に記載の浴室ミスト装置は、前記ミスト水供給配管を流れる水の温度を測定する測温手段を設けたことを特徴としている。
【０００９】
請求項２に記載した実施態様は、ミスト水供給配管内の水の温度を測定することができるので、殺菌用加熱手段で加熱時に殺菌に十分な温度に加熱されているかどうかを確認することができる。
【００１０】
請求項３に記載の浴室ミスト装置は、前記殺菌用加熱手段で加熱した前記ミスト水供給配管内の水の温度は、前記測温手段で測定した温度が７０℃から８０℃になるようにしたことを特徴としている。
【００１１】
請求項３に記載した実施態様は、レジオネラ菌や雑菌などを死滅させる温度（７０〜８０℃）に水が加熱されているかどうかを監視することができる。
【００１２】
請求項４に記載の浴室ミスト装置は、前記殺菌用加熱手段による前記ミスト水供給配管内の水の加熱を少なくとも１日に１回行うようにしたことを特徴としている。
【００１３】
請求項４に記載した実施態様は、定期的に殺菌できるので長期間ミスト機能を使用しないような場合においても雑菌が繁殖を抑えて清潔な状態を保つことができる。さらに、従来のように排水用配管を設置する必要がないので、排水用配管を設置するための工事が必要なくなり、配管の取り回しも簡略化できる。
【００１４】
請求項５に記載のミスト機能付浴室暖房換気装置は、請求項１〜４に記載の浴室ミスト装置を室内の空気を循環させるための第１の送風通路、第１の送風通路内の空気を温水と熱交換させて加熱する暖房用熱交換器、及び第１の送風通路内の加熱空気を室内に吹き出させるための温風用送風機を有する室内端末と、前記暖房用熱交換器に流れる温水を加熱するための熱源機と、前記熱源機から前記暖房用熱交換器に温水を供給するための暖房用温水供給配管とを有する浴室暖房換気装置に組み込んだことを特徴としている。
【００１５】
請求項５に記載したミスト機能付浴室暖房換気装置にあっては、浴室暖房換気装置に浴室ミスト装置が組み込まれているので、浴室内の暖房、換気、乾燥だけでなく、温水のミストを噴射することによってサウナ効果も得ることができる。また、別々に設置する場合に比べて施工工事も容易になる。
【００１６】
請求項６に記載のミスト機能付浴室暖房換気装置は、前記暖房用温水供給配管及び前記ミスト用加熱手段を接続して、前記暖房用温水供給配管内を流れる温水を前記ミスト用加熱手段に供給するためのミスト水加熱用供給配管を設けたことを特徴としている。
【００１７】
請求項６に記載した実施態様は、ミスト水加熱手段に用いる熱媒（温水）に暖房用熱交換器に供給される熱媒の一部を利用できるので、ミスト水加熱手段専用の熱媒供給源を設ける必要が無く、低コスト化できる。
【発明を実施するための最良の形態】
【００１８】
以下、本発明の実施例を図面に従って詳細に説明する。ただし、本発明は以下の実施例に限定されるものでないことは勿論である。
【実施例１】
【００１９】
図１は、ミスト機能付浴室暖房換気装置１０１の構造を模式的に表わした断面図である。ミスト機能付浴室暖房換気装置１０１は、本体ユニット１１１と、暖房熱源機１１２と、コントローラ１４５及びリモコン１４６で構成されており、本体ユニット１１１と暖房熱源機１１２は、外壁を貫通して配管された温水往き配管１３１（暖房用温水供給配管）及び温水戻り配管１３２で接続されている。また、本体ユニット１１１は室内の天井や壁などに取り付けられており、暖房熱源機１１２は屋外に設置されている。また、リモコン１４６は、浴室内の壁などの操作しやすい位置に取り付けられている。また、コントローラ１４５は、本体ユニット１１１に内蔵されている。
【００２０】
暖房熱源機１１２は、温水往き配管１３１及び温水戻り配管１３２によって暖房用熱交換器１２５及びミスト水熱交換器１３６との間を循環している水をバーナーなどによって温め、その水を温水往き配管１３１から送り出すことができるようになっている。また、特に図示しないが暖房熱源機１１２は上水と接続されており、温水往き配管１３１及び温水戻り配管１３２内を流れる水の量が少なくなった場合に水を補給することができるようになっている。
【００２１】
本体ユニット１１１は、換気室１１３、循環室１１４、ミスト水準備室１１５で構成されている。循環室１１４は、浴室内に開口した循環吸気口１２１と吐出口１２３がつながった風路であって、循環室１１４内には、循環吸気口１２１側から順に暖房用熱交換器１２５、温風用送風機１２６が設けられている。温風用送風機１２６にはクロスフローファンが用いられており、特に図示しないが温風用送風機１２６は、温風用送風機モータと接続されている。この温風用送風機モータの駆動により温風用送風機１２６を動作させて循環吸気口１２１から室内の空気を吸気し吐出口１２３から再び室内に吹き出すようになっている。また、暖房用熱交換器１２５には温水が流れるようになっており、暖房熱源機１１２と温水往き配管１３１及び温水戻り配管１３２によって接続されている。
【００２２】
ミスト水準備室１１５には、図１及び図２に示すように本体ユニット１１１の浴室側に開口したノズル取付部１３３にノズル取付具１２８を用いて複数のミスト水噴射ノズル１３４が取り付けられている。ミスト水噴射ノズル１３４はミスト水供給配管１３５と接続されており、ミスト水供給配管１３５の他端は上水道などと接続されている。さらに、ミスト水供給配管１３５には、図３に示すように上流側からミスト水量調整弁１４２、ミスト水熱交換器１３６、温度センサ１３９、殺菌用加熱ヒータ１３８、ミスト噴射弁１４３が設置されている。
【００２３】
ミスト水熱交換器１３６は、温水式の液体−液体の熱交換器であって、ミスト水供給配管１３５内を流れる水を温めることができるようになっている。また、ミスト水熱交換器１３６への熱媒（温水）の供給は、図１及び図３に示すように暖房用熱交換器１２５と暖房熱源機１１２をつなぐ温水往き配管１３１（ミスト水加熱用供給配管）に分水往き配管１３７を接続することによって供給されるようになっている。また、ミスト水熱交換器１３６に供給された温水は、分水戻り配管１４４内を流れて温水戻り配管１３２に戻されるようになっている。したがって、ミスト水供給配管１３５に供給された上水は、ミスト水熱交換器１３６と熱交換して温められた後、ミスト水噴射ノズル１３４から室内へミスト状の温水が噴射されるようになっている。また、温水往き配管１３１の分水往き配管１３７との接続部よりも暖房用熱交換器１２５側及び分水往き配管１３７には、それぞれ暖房用水供給弁１４０、分水弁１４１が設けられており、暖房用水供給弁１４０及び分水弁１４１の開閉を切り替えることによって暖房用熱交換器１２５及びミスト水熱交換器１３６への温水供給の有無を切り換えることができるようになっている。
【００２４】
また、殺菌用加熱ヒータ１３８は、ミスト水供給配管１３５に上水が供給されず滞留した状態においてミスト水供給配管１３５内に滞留した水を加熱することによってレジオネラ菌や雑菌などを死滅させる殺菌処理をおこなうことができるようになっている。温度センサ１３９はミスト水供給配管１３５内の水の温度を測定することができるようになっている。
【００２５】
換気室１１３は、本体ユニット１１１の浴室側に開口した換気吸気口１２２と本体ユニット１１１の室外側に開口した排気口１２４がつながった風路であって、換気室１１３内には換気用送風機１２７が設けられている。換気用送風機１２７にはシロッコファンなどが用いられており、特に図示しないが換気用送風機１２７は、換気用送風機モータと接続されている。この換気用送風機モータの駆動により換気用送風機１２７を動作させて換気吸気口１２２から室内の空気を吸気し排気口１２４から室外へ排気することによって室内を換気できるようになっている。
【００２６】
また、ミスト機能付浴室暖房換気装置１０１は、内蔵のコントローラ１４５によって運転制御される。コントローラ１４５は、リモコン１４６と信号線１５１を通じて接続されおり、暖房熱源機１１２と信号線１５２で接続されている。なお、本実施例では、コントローラ１４５は、本体ユニット１１１に内蔵されているものとしている。リモコン１４６は、遠隔からミスト機能付浴室暖房換気装置１０１を操作するものであり、暖房換気運転スイッチ１４８、ミスト運転スイッチ１４９、電源スイッチ１５０を備えている。また、コントローラ１４５には殺菌処理終了からの経過時間を計測するためのタイマー（時計）が内蔵されている。
【００２７】
図４は、ミスト機能付浴室暖房換気装置１０１における、コントローラ１４５を中心とする電気的な構成を示す機能ブロック図である。コントローラ１４５は、ＲＯＭ、ＥＥＰＲＯＭ等のメモリに格納されている運転処理のプログラムに従ってミスト機能付浴室暖房換気装置１０１をマイコン制御するものである。すなわち、図４に示すようにコントローラ１４５は、暖房換気運転スイッチ１４８、ミスト運転スイッチ１４９、温度センサ１３９、電源スイッチ１５０からの信号を受け取り、それに応じて所定の手順で暖房熱源機１１２、暖房用水供給弁１４０、分水弁１４１、ミスト水量調整弁１４２、ミスト噴射弁１４３、殺菌用加熱ヒータ１３８、温風用送風機１２６、換気用送風機１２７を制御することにより浴室内の換気、暖房（乾燥）、ミスト噴射及びミスト水供給配管１３５内の殺菌処理をおこなう。
【００２８】
図５はコントローラ１４５によるミスト機能付浴室暖房換気装置１０１のミスト運転の動作を表わしたフロー図である。以下、図５に従ってミスト機能付浴室暖房換気装置１０１のミスト運転の動作開始から動作終了までを説明する。ミスト機能付浴室暖房換気装置１０１の運転停止中においては、暖房熱源機１１２、温風用送風機１２６、換気用送風機１２７は停止しており、暖房用水供給弁１４０、分水弁１４１、ミスト水量調整弁１４２、ミスト噴射弁１４３はいずれも閉じている。また、殺菌用加熱ヒータ１３８には電流が流れておらず、加熱していないものとする。
【００２９】
リモコン１４６の電源スイッチ１５０が押されて電源がオンになると、ミスト機能付浴室暖房換気装置１０１は、図５のフロー図に従って運転を開始する。まず、電源スイッチ１５０がオンになると、コントローラ１４５は、前回の殺菌処理からの経過時間を確認（ステップＳ１）し、所定時間Ｔ１以上経過していれば（ステップＳ２でＹｅｓの場合）、殺菌用加熱ヒータ１３８がオンになりミスト水供給配管１３５内に滞留している水の加熱を開始する（ステップＳ３）。この時、温度センサ１３９は、ミスト水供給配管１３５内に滞留している水の温度を監視している。ミスト水供給配管１３５内に滞留している水の温度が所定温度に達して落ち着く（ステップＳ４）と、その温度を所定時間保持して殺菌処理を行う。なお、殺菌用加熱ヒータ１３８での殺菌処理は７０℃〜８０℃程度で数分間の処理を１日に１回程度の割合で行うことが望ましい。所定時間Ｔ２が経過する（ステップＳ５）と殺菌用加熱ヒータ１３８をオフ（ステップＳ６）にして、再びステップＳ１に戻り待機状態になる。この待機状態では、前回殺菌処理からの所定時間Ｔ１とミスト運転スイッチ１４９がオンにされたかどうかを監視している（ステップＳ７）。所定時間Ｔ１内にミスト運転スイッチ１４９がオンにされなかった場合は、再びステップＳ３〜Ｓ６に示した動作を行い殺菌処理がおこなわれる。
【００３０】
一方、ミスト運転スイッチ１４９が押されてオンになり、リモコン１４６からコントローラ１４５へミスト運転開始指令が送られると、暖房熱源機１１２が動作を開始する（ステップＳ８）と共に分水弁１４１が開成し（ステップＳ９）、暖房熱源機１１２とミスト水熱交換１３６との間で水が循環するようになる。ミスト水熱交換器１３６がミスト水供給配管１３５内の水の加熱に十分な温度になると、ミスト水量調整弁１４２及び噴射弁１４３が開成（ステップＳ１０、Ｓ１１）する。しかして、上水からミスト水供給配管１３５内に水が流れ込み、ミスト水噴射ノズル１３４からは浴室内にミスト状の温水が噴射される。
【００３１】
再びミスト運転スイッチ１４９が押されてオフになり、リモコン１４６からコントローラ１４５へミスト運転停止指令が送られると（ステップＳ１２）、ミスト水量調整弁１４２及び噴射弁１４３は閉止され（ステップＳ１３、Ｓ１４）、暖房熱源機１１２も停止する（ステップＳ１５）と共に分水弁１４１も閉止されて（ステップＳ１６）、ミスト運転が終了する（ステップＳ１７）。ミスト運転が終了すると、ステップＳ１に戻って待機状態となる。
【００３２】
次に、図６に従ってミスト機能付浴室暖房換気装置１０１の暖房換気運転の動作開始から動作終了までを説明する。図６はコントローラ１４５によるミスト機能付浴室暖房換気装置１０１の暖房換気運転の動作を表わしたフロー図である。
【００３３】
まず、リモコン１４６の暖房換気運転スイッチ１４８が押されてオンになると、ミスト機能付浴室暖房換気装置１０１は、図６のフロー図に従って暖房換気運転を開始する。まず、暖房換気運運転スイッチ１４８がオンになると、暖房熱源機１１２が動作を開始（ステップＳ２１）し、温風用送風機１２６及び換気用送風機１２７も動作を開始する（ステップＳ２２、Ｓ２３）。また、暖房用水供給弁１４０が開成（ステップＳ２４）し、温水往き配管１３１から暖房用熱交換器１２５に温水が供給される。したがって、循環吸気口１２１から循環室１１４内に吸気された浴室内の空気は、暖房用熱交換器１２５で温められた後、吐出口１２３から暖かい空気として室内に吹き出す。また、換気吸気口１２２から吸気された浴室内の空気は排気口１２４から室外に排気される。再び暖房換気運転スイッチ１４８が押されてオフになり、リモコン１４６からコントローラ１４５へ暖房換気運転停止指令が送られる（ステップＳ２５）と、暖房熱源機１１２が動作を停止（ステップＳ２６）し、暖房用水供給弁１４０が閉止する（ステップＳ２７）。また、温風用送風機１２６及び換気用送風機１２７も動作を停止（ステップＳ２８、Ｓ２９）して、暖房換気運転を終了する（ステップＳ３０）。
【００３４】
以上説明したように、ミスト水噴射ノズル１３４とミスト水熱交換器１３６の間に滞留している水を殺菌用加熱ヒータ１３８で加熱してレジオネラ菌や雑菌などを死滅させることができるので、滞留している水を排水するための配管を別途設ける必要が無くなり、配管の取り回しを簡略化できる。
【００３５】
なお、暖房換気運転において、室内の暖房及び乾燥と、換気を個別にできるようにしてもよい。つまり、上記暖房換気運転において、換気用送風機を動作させなければ、室内の暖房のみをおこなうことができ、逆に換気用送風機のみを動作させれば、室内の換気のみをおこなうことができる。さらに、ミスト運転と暖房換気乾燥運転を同時におこなうようにしてもよい。そうすれば、浴室内を暖房しながら湿気を補給し、室内の乾燥を防止することができる。
【００３６】
なお、ミスト機能付浴室暖房換気装置１０１において、ミスト水噴射ノズル１３４を異なった形状のものと取り替えることによって、噴射されるミストの噴射方向や水滴の大きさを変えることが可能となっている。また、ミスト水噴射ノズル１３４をモーターなどによって可動するようにすれば、浴室内に均一にミストを噴射することができる。
【図面の簡単な説明】
【００３７】
【図１】本発明のミスト機能付浴室暖房換気装置の概略を示した断面図である。
【図２】同上のミスト機能付浴室暖房換気装置のミスト水噴射ノズルの概略斜視図である。
【図３】本発明のミスト機能付浴室暖房換気装置の水の配管の接続状態を説明するための概略図である。
【図４】本発明のミスト機能付浴室暖房換気装置のコントローラの働きを説明するための機能ブロック図である。
【図５】本発明のミスト機能付浴室暖房換気装置のミスト運転の動作を説明するフロー図である。
【図６】本発明のミスト機能付浴室暖房換気装置の暖房換気運転の動作を説明するフロー図である。
【符号の説明】
【００３８】
１０１  ミスト機能付浴室暖房換気装置
１１１  本体ユニット
１１２  暖房熱源機
１１３  換気室
１１４  循環室
１１５  ミスト水準備室
１２１  循環吸気口
１２２  換気吸気口
１２３  吐出口
１２４  排気口
１２５  暖房用熱交換器
１２６  温風用送風機
１２７  換気用送風機
１３１  温水往き配管
１３２  温水戻り配管
１３４  ミスト水噴射ノズル
１３５  ミスト水供給配管
１３６  ミスト水熱交換器
１３７  分水往き配管
１３８  殺菌用加熱ヒータ
１３９  温度センサ
１４０  暖房用水供給弁
１４１  分水弁
１４２  ミスト水量調整弁
１４３  ミスト噴射弁
１４４  分水戻り配管
１４５  コントローラ
１４６  リモコン
１４８  暖房換気運転スイッチ
１４９  ミスト運転開始スイッチ
１５０  電源スイッチ
【図１】
2006218159.tif 000003
【図２】
2006218159.tif 000004
【図３】
2006218159.tif 000005
【図４】
2006218159.tif 000006
【図５】
2006218159.tif 000007
【図６】
2006218159.tif 000008